(57)【特許請求の範囲】
【請求項１】
天井に取り付けられ、下向きの開口に面して光源を保持する筐体と、
該筐体の前記開口を覆い、前記光源との対向部に、該光源に向けて凸となる凸部を有するカバー部材と、
前記筐体の開口縁に隣接配置され、前記開口縁に近い側を上、前記開口縁から遠い側を下として傾斜する傾斜板と、
前記筐体の開口縁から外向きに延設され、前記傾斜板を上縁により支持する羽部と
を備え、
前記羽部は、前記筐体の開口縁と略平行をなす下縁と、該下縁に対して傾斜する上縁とを備え、先端に向けてテーパ状に高さを減じる形状を有し、前記上縁は折り曲げられ、前記傾斜板は前記上縁の折り曲げ部で支持されており、
前記羽部は、前記筐体の長手方向両端部に着脱自在に取り付けられ、該羽部の取り付け位置は、前記筐体の高さ方向に変更可能であって、前記傾斜板は、前記羽部の高さ方向を変更することで種々の傾斜角度で支持可能であることを特徴とする照明設備。
【請求項２】
前記凸部は、前記光源からの到達光の一部を透過させて下方に放出し、前記到達光の残部を天井面と平行に、又は平行よりも上向きに反射して側方に放出し、前記傾斜板を照明するように構成してあることを特徴とする請求項１に記載の照明設備。
【請求項３】
前記傾斜板は、天井面との連続部に輝度ギャップを生じないように配置してあることを特徴とする請求項１又は請求項２に記載の照明設備。
【請求項４】
前記傾斜板は、天井面を構成する天井板と同材質であることを特徴とする請求項１から請求項３のいずれか１つに記載の照明設備。
【請求項５】
縦横に架設した仕切り棒により矩形に仕切られた区画の夫々に天井板を装着してあるグリッド天井に装備すべく構成され、
前記筐体は、相対向する仕切り棒間に長手方向両端を支持してあり、
前記傾斜板は、前記筐体の幅方向の側縁と該側縁に対向する前記仕切り棒との間に架設してある
ことを特徴とする請求項１から請求項４のいずれか１つに記載の照明設備。
【請求項６】
前記傾斜板は、前記筐体の幅方向両側に設けてあることを特徴とする請求項５に記載の照明設備。
【請求項７】
前記傾斜板は、前記筐体の幅方向一側に設けてあることを特徴とする請求項５に記載の照明設備。
【請求項８】
前記筐体は、前記仕切り棒に対する上下方向の位置変更を可能として取り付けてあることを特徴とする請求項５から請求項７のいずれか１つに記載の照明設備。
【発明の詳細な説明】
【技術分野】
【０００１】
本発明は、天井に装備される照明設備に関する。
【背景技術】
【０００２】
近年のオフィスビルにおいては、天井部を縦横に架設したＴ字形断面の仕切り棒（Ｔバー）により定寸矩形の区画（グリッド）に仕切り、夫々のグリッドに天井板を装着して構成され、グリッド天井（又はシステム天井）と称される天井構造が広く採用されている。このようなグリッド天井においては、適宜のグリッドを、照明、空調等の付帯設備用として用いることができ、従来、グリッド天井への適用を意図した照明設備が、特許文献１等に開示されている。
【０００３】
この照明設備は、グリッドを構成するＴバーに掛け止め支持された筐体に、複数のＬＥＤ（発光ダイオード）を基板に実装してなる光源を取り付け、各ＬＥＤの発光を、透光性及び光拡散性を有するカバー部材を介して外部に放出し、室内を照明するように構成されている。
【先行技術文献】
【特許文献】
【０００４】
【特許文献１】特開２０１３−６２１６３号公報
【発明の概要】
【発明が解決しようとする課題】
【０００５】
オフィスビルにおいては、７５０〜１０００ｌｘ程度の高照度環境が求められている。近年においては、省エネルギの要求に応えるべく、天井に設けるベース照明による照度を低レベル（例えば、３００ｌｘ程度）に抑え、机上面照度の不足を個別の照明器具により補完する照明方式、所謂、タスク・アンビエント照明方式の採用が推奨されている。
【０００６】
特許文献１に開示された照明設備においては、ＬＥＤを光源とすることで軽量化し、前述したＴバーへの掛け止め支持によりグリッド天井に適用されるベース照明としての使用を可能としており、更に省エネルギの要求に応え得るが、一方では、光源として用いられるＬＥＤの出射光の指向性が強く、照明光の配光範囲が狭いことから、照明装置の取り付け部の周囲の天井面に暗部が生じ、室内の明るさ感が低下するという問題がある。
【０００７】
特許文献１においては、筐体の相対向する２辺に沿ってＬＥＤを配設する一方、これらの配設位置を覆うカバー部材の辺縁に沿う側壁を起立状に立ち上がる形状とし、ＬＥＤの発光の一部を前記側壁から天井面に沿わせて放出し、天井面を照明することで明るさ感の向上を図っている。しかしながら、前記側壁からの放出光による天井面の照明効果は限定的であり、十分な明るさ感を実現することは難しく、前述したタスク・アンビエント照明方式でのベース照明として適用した場合、室内の明るさ感が不足することとなる。
【０００８】
本発明は斯かる事情に鑑みてなされたものであり、明るさ感の向上を図りつつ省エネルギの要求に応えることができ、特に、グリッド天井に好適に装備し得る照明設備を提供することを目的とする。
【課題を解決するための手段】
【０００９】
本発明に係る照明設備は、天井に取り付けられ、下向きの開口に面して光源を保持する筐体と、該筐体の前記開口を覆い、前記光源との対向部に、該光源に向けて凸となる凸部を有するカバー部材と、前記筐体の開口縁に隣接配置され、前記開口縁に近い側を上、前記開口縁から遠い側を下として傾斜する傾斜板と、前記筐体の開口縁から外向きに延設され、前記傾斜板を上縁により支持する羽部とを備え、前記羽部は、前記筐体の開口縁と略平行をなす下縁と、該下縁に対して傾斜する上縁とを備え、先端に向けてテーパ状に高さを減じる形状を有し、前記上縁は折り曲げられ、前記傾斜板は前記上縁の折り曲げ部で支持されており、前記羽部は、前記筐体の長手方向両端部に着脱自在に取り付けられ、該羽部の取り付け位置は、前記筐体の高さ方向に変更可能であって、前記傾斜板は、前記羽部の高さ方向を変更することで種々の傾斜角度で支持可能であることを特徴とする。
【００１０】
本発明においては、光源の発光の一部をカバー部材に設けた凸部の反射作用により外向きに広げて放出させて傾斜板を照明し、該傾斜板を光らせて明るさ感の向上を図る。傾斜板は、筐体の開口縁から外向きに延びる羽部の傾斜し、折り曲げられた上縁により安定して支持され、開口縁に近い側が上、遠い側が下となるように傾斜しており、放出光の作用により明るく光り、室内空間の明るさ感を向上させることができる。傾斜板は、カバー部材に近い側で最も明るく、遠くなるに従って徐々に明るさを減じるように光る。これにより、カバー部材と傾斜板のカバー部材に近い側との間の輝度対比が小さく保たれ、カバー部材の周辺が暗く知覚されることを防ぐことができる。また傾斜板の輝度は、ギャップを生じることなく連続して変化し、近接した部分間での輝度対比も小さく保たれるから、傾斜板の全体においても暗く知覚されることを防ぐことができる。
【００１３】
また本発明に係る照明設備は、前記羽部が、前記筐体に着脱及び位置変更を可能として取り付けてあることを特徴とする。
【００１４】
羽部は、筐体の高さ方向に位置変更可能、且つ着脱自在であり、適宜の形状を有する羽部を位置変更して筐体に取り付けることにより、傾斜板を種々の傾斜角度で安定して支えることができ、傾斜板の傾斜角度を変更することにより、傾斜板の輝度及び輝度の変化態様を周辺の天井面を含めて適宜に調節し、明るさ感の向上を図りつつ種々の照明環境を演出することができる。また羽部を筐体から取り外した状態で運搬することにより、運搬に要する手間を削減し、運搬に伴う損傷を防止して作業性及び安全性を高めることができる。更に、羽部の色を適宜に選択することにより、照明設備周辺の空間に変化を与え、多様な照明環境を演出することも可能となる。
【００１７】
また本発明に係る照明設備は、前記凸部が、前記光源からの到達光の一部を透過させて下方に放出し、前記到達光の残部を天井面と平行に、又は平行よりも上向きに反射して側方に放出し、前記傾斜板を照明するように構成してあることを特徴とする。
【００１８】
本発明においては、凸部の形状を光源の数及び配置に応じて適正に設定し、該凸部による反射光を天井面と平行、又は平行よりも上向きに放出させるように構成したから、下方への透過光量を十分に確保しながら傾斜板を確実に照明し、良好な明るさ感を実現することができる。
【００１９】
また本発明に係る照明設備は、前記傾斜板が、天井面を構成する天井板と同材質であることを特徴とする。
【００２０】
本発明においては、天井板と同材質の傾斜板を用いたから、天井板により構成される天井面との連続性を維持することが可能となる。天井板と同材質の傾斜板は、天井面との連続部における輝度ギャップの低減にも寄与する。
【００２１】
また本発明に係る照明設備は、前記傾斜板が、天井面との連続部に輝度ギャップを生じないように配置してあることを特徴とする。
【００２２】
本発明においては、例えば、天井面との境界部に段差が生じないように傾斜板を配置することで、傾斜板と天井板との間の輝度ギャップを低減する。視野内において、隣接する部分間に大きい輝度ギャップが存在する場合、高輝度部分と低輝度部分との間の対比効果により明るさ感の向上を阻害する虞れがあり、傾斜板と天井板との間の輝度ギャップをなくすことで良好な明るさ感を実現することができる。
【００２３】
また本発明に係る照明設備は、縦横に架設した仕切り棒により矩形に仕切られた区画の夫々に天井板を装着してあるグリッド天井に装備すべく構成され、前記筐体は、相対向する仕切り棒間に長手方向両端を支持してあり、前記傾斜板は、前記筐体の幅方向の側縁と該側縁に対向する前記仕切り棒との間に架設してあることを特徴とする。
【００２４】
本発明においては、グリッド天井に装備する場合、縦横に架設した仕切り棒を筐体の長手方向両端の支持のために利用し、また筐体の幅方向の側縁と仕切り棒との間に傾斜板を架設することで簡易な取り付けを実現する。傾斜板は、仕切り棒への架設により相隣する区画の天井板と略同面で連続するから、傾斜板と天井板との間の輝度対比を小さく保ち、天井板が暗く知覚されることを防止して明るさ感の向上を図ることができる。
【００２５】
また本発明に係る照明設備は、前記傾斜板が、前記筐体の幅方向両側に設けてあることを特徴とする。
【００２６】
本発明においては、筐体の幅方向両側で傾斜板が明るく光り、室内空間の明るさ感を良好に向上させることができる。
【００２７】
また本発明に係る照明設備は、前記傾斜板が、前記筐体の幅方向一側に設けてあることを特徴とする。
【００２８】
本発明においては、傾斜板の側を壁側として室の壁際に配置することにより、筐体の幅方向一側で傾斜板が光ると共に、室の壁面が傾斜板と連続する態様にて光り、室内空間の明るさ感を良好に向上させることができる。
【００２９】
また本発明に係る照明設備は、前記筐体が、前記仕切り棒に対する上下方向の位置変更を可能として取り付けてあることを特徴とする。
【００３０】
本発明においては、筐体の取り付け位置を変更することにより、該筐体の側縁と仕切り棒との間に架設される傾斜板の傾斜角度を容易に変更することができる。
【発明の効果】
【００３１】
本発明に係る照明設備においては、筐体内での光源の発光の一部をカバー部材に設けた凸部により反射し、外向きに放出させて傾斜板を照明するから、該傾斜板が明るく光り、室内空間の明るさ感の向上を図りつつ省エネルギの要求に応えることができ、特に、グリッド天井に装備されるベース照明として好適に用いることが可能である。
【図面の簡単な説明】
【００３２】
【図１】実施の形態１に係る照明設備の縦断面図である。
【図２】図１中のII−II線による断面図である。
【図３】実施の形態１に係る照明設備が備える照明装置の外観斜視図である。
【図４】実施の形態１に係る照明設備が備える照明装置の外観斜視図である。
【図５】実施の形態１に係る照明設備の輝度分布図である。
【図６】図５中に白線により示す視角４０°の範囲内での一次元の輝度分布を示す図である。
【図７】実施の形態１に係る照明設備の効果説明図である。
【図８】実施の形態１に係る照明設備の効果説明図である。
【図９】実施の形態１に係る照明設備の効果説明図である。
【図１０】実施の形態２に係る照明設備の縦断面図である。
【図１１】実施の形態３に係る照明設備の縦断面図である。
【発明を実施するための形態】
【００３３】
以下本発明をその実施の形態を示す図面に基づいて詳述する。
（実施の形態１）
図１は、実施の形態１に係る照明設備の縦断面図、図２は、図１中のII−II線による断面図である。図示の照明設備は、オフィスビルの天井構造として広く採用されているグリッド天井に適用されるものである。図中の１は、天井部を縦横に仕切るように架設したＴバー（仕切り棒）であり、グリッド天井は、四方をＴバー１により囲われた定寸矩形のグリッドの夫々に、図１中に一部を示す天井板１０を架設して構成されている。天井板１０は、例えば、前記グリッドに対応する形状に成形された岩綿吸音板により構成される。
【００３４】
照明設備は、筐体２、反射板３、光源４及びカバー部材５を備える照明装置と傾斜板６とを備えている。筐体２は、一方向に長い矩形断面の底板と、該底板の４辺から垂直に立ち上がる側板とを備え、底板との対向面の全面が開放された形状を有している。
【００３５】
図１には、筐体２の幅方向の断面が、図２には、長手方向の断面が夫々示されている。図２に示す如く筐体２の長さは、相対向する２本のＴバー１、１の間隔に対応しており、筐体２は、長手方向両端の側板の外面に取り付けたフック部材２０、２０をＴバー１、１に掛け止めし、これらのＴバー１、１間に、開口側を下向きとして横架支持されている。筐体２は、幅方向断面においては、図１に示す如く、相対向する２本のＴバー１、１の略中央に配置される。
【００３６】
反射板３は、筐体２の内部に長さ方向の全長に亘って架設され、幅方向の略中央に配置されている。反射板３の一面は、筐体２の開口側から適長離隔して対向しており、この対向面に光源４が取り付けてある。光源４は、短冊形をなす基板４０の一面に複数のＬＥＤ４１を所定間隔毎に実装して構成されており、ＬＥＤ４１の実装面を下向きとし、反射板３の略全長に亘って単列又は複数列（図においては２列）に並べて固定されている。ＬＥＤ４１は、例えば、青色光を発光するＬＥＤチップを、補色関係にある黄色蛍光体に被覆し、白色光を出射するように構成されている。
【００３７】
筐体２及び反射板３は、例えば、薄肉の亜鉛メッキ鋼板の表面を白色塗料により塗装するか、又は鏡面仕上げすることにより、高い光反射率が得られるように構成されている。図１に示す如く反射板３は、幅方向の両側に、外側が下となるように傾斜した傾斜部３０を備えており、光源４は、両傾斜部３０、３０間の平坦部分に固定されている。傾斜部３０は、反射板３と別体に設けてもよく、また板材の曲げ成形により反射板３と一体に設けてもよい。
【００３８】
カバー部材５は、透光性及び光拡散性を有する樹脂材料製の箱体であり、一側の開口を反射板３の周縁に嵌め合わせ、該反射板３の全面を、光源４の取り付け部から下方に適長離隔して覆うように取り付けられている。図１に示す如く、光源４の取り付け部に対向するカバー部材５の底板は、図１に示す幅方向断面において全幅に亘って湾曲させてあり、中央部が上向き、即ち、光源４の取り付け部に近付く向きに凸となる凸部５ａが設けられている。
【００３９】
図１には、光源４を構成するＬＥＤ４１の発光を破線の矢符により示してある。ＬＥＤ４１の発光は、図示の如く、所定の角度範囲内で拡がって下方に向かい、カバー部材５の底板に到達する。底板への到達光の一部は、該底板を透過して下方に放出される一方、残りの到達光の多くは、底板に設けた凸部５ａにより、天井板１０により構成される天井面と平行に、又は平行よりも上向きに反射され、図示の如く、カバー部材５の周板を透過して側方に放出される。一部の反射光は、傾斜部３０を有する反射板３に戻り、該反射板３及び傾斜部３０により全反射されて下方に向かい、同様の透過又は反射を繰り返す。以上の動作により、光源４を構成するＬＥＤ４１の発光は、カバー部材５の下方及び側方に分散されて放出される。
【００４０】
図３、図４は、実施の形態１に係る照明設備が備える照明装置の外観斜視図であり、図３は、カバー部材５の取り付け側、即ち、下方から見た斜視図を示し、図４は、上方から見た斜視図を示している。
【００４１】
これらの図に示す如く、筐体２の長手方向両端の側板には、前述したフック部材２０と共に支え板２１が取り付けてある。フック部材２０は、夫々の側板の幅方向に離隔した２箇所に、例えば、夫々の位置に設けた貫通孔に嵌め込み固定することにより取り付けてある。これらの取り付け位置は、側板の中央から幅方向一側に偏位して設定されており、図３に示す一側の側板と図４に示す他側の側板とでは、偏位の方向が異ならせてある。このようなフック部材２０の配置により、単一のＴバー１の両側に２つの筐体２を掛け止め支持することが可能となる。
【００４２】
支え板２１は、筐体２の両側板の外面にフック部材２０との干渉を避けて取り付けてあり、筐体２の幅方向両側から外向きに延びる羽部２２を備えている。この支え板２１は、筐体２、反射板３と同様、薄肉の亜鉛メッキ鋼板により構成し、光反射性を確保するための白色塗装等、適宜の色に塗装されている。
【００４３】
支え板２１の羽部２２は、筐体２の開口縁と略平行をなす下縁と、該下縁に対して傾斜する上縁とを備え、先端に向けてテーパ状に高さを減じる形状を有している。羽部２２の上縁及び下縁は、図３、図４に示す如く、同側に向けて適幅に折り曲げてある。これらの折り曲げ部は、羽部２２の曲げ強度を高める作用をなす。
【００４４】
羽部２２を備える支え板２１は、着脱自在であるのが望ましく、照明装置の運搬は、支え板２１を取り外して実施する。これにより、運搬に要する手間を削減し、また運搬に伴う損傷を防止して作業性及び安全性を高めることができる。
【００４５】
支え板２１両側の羽部２２は、図１に示す如く、相対向する２本のＴバー１、１の中央に筐体２が配置されたとき、該筐体２の幅方向両側から夫々に対向するＴバー１、１の夫々に向けて延びるように位置する。羽部２２の上縁の基部は、筐体２の開口縁に略一致しており、該開口縁には、外向きに突出する鍔部２３が設けられている。
【００４６】
以上の構成により、筐体２の幅方向両側には、該筐体２の開口縁、Ｔバー１、及び長手方向両側の羽部２２、２２により四方を囲われた矩形の開口部が形成され、該開口部を傾斜板６により覆って照明設備が構成される。傾斜板６は、例えば、天井板１０と同様の岩綿吸音板を前記開口部に対応する矩形形状に成形して構成されており、相対向する２つの縁部を、筐体２の開口部を縁取る幅方向両側の側縁に設けた鍔部２３とＴバー１とにより支え、図１に示す如く、前記開口部の全面を覆うように架設されている。
【００４７】
傾斜板６の残りの２つの縁部は、夫々の側で羽部２２の上縁により支持してもよい。この場合、羽部２２の上縁の折り曲げ部は、傾斜板６の支持を確実にする作用をなし、傾斜板６は、筐体２の側を上とし、Ｔバー１の側を下とする傾斜姿勢で安定して支持される。このように架設された傾斜板６は、Ｔバー１による支持側において、天井面を構成する天井板１０と段差を生じない状態で連続する。
【００４８】
なお、図４に示す如く、上位置となる筐体２の底板には、幅方向の中央部に、長さ方向の略全長に亘る適幅の開口２４が設けられている。該開口２４の中央部には、フレーム部材２５が架設されており、該フレーム部材２５は、筐体２の内側に向く一面に基板ボックス２６を支持している。基板ボックス２６内には、光源４駆動用の電源基板（図示せず）が収容されており、光源４の各ＬＥＤ４１は、前記電源基板を介して交流電源に接続され、該交流電源からの給電により発光するように構成されている。
【００４９】
フレーム部材２５の両側に残る開口部２４は、図１に示す如く、筐体２とカバー部材５及び反射板３との間の空隙に連通し、上下方向に連続する風路を形成する。この風路には、発光に伴って発熱する光源４を冷却する冷却風が流れる。光源４は、反射板３を介して接触する冷却風との熱交換により冷却される。反射板３を構成する亜鉛メッキ鋼板は、良好な熱伝導性を有しており、光源４の冷却は良好になされる。
【００５０】
また前記風路内を流れる冷却風は、基板ボックス２６にも接触し、該基板ボックス２６内の電源基板も冷却風との接触により冷却される。従って、光源４及び電源基板の発熱に伴う不具合の発生を未然に防止することができる。
【００５１】
以上の如く実施の形態１の照明設備においては、カバー部材５の下方への放出光により室内が照明される一方、カバー部材５の側方への放出光により傾斜板６が照明されるから、該傾斜板６が明るく光り、室内空間の明るさ感を良好に維持することができる。明るさ感の指数を測定した結果、机上面照度を２／３程度に抑えた条件下にて十分な明るさ感を維持し得ることが確かめられており、実施の形態１の照明設備によれば、明るさ感の向上を図りつつ、省エネルギの要求に応えることが可能である。
【００５２】
また傾斜板６は、前述した傾斜を有して取り付けられており、カバー部材５、即ち、照明装置に近い側で最も明るく、遠くなるに従って徐々に明るさを減じるように光るから、カバー部材５と傾斜板６との間の輝度対比が小さく保たれ、カバー部材５の周辺が暗く知覚されることを防ぐことができる。また傾斜板６の輝度は、ギャップを生じることなく連続して変化し、隣接した部分間での輝度対比が小さく保たれるから、傾斜板６の全体においても暗く知覚されることも防ぐことができる。更に、傾斜板６は、天井面を構成する天井板１０と同材質の岩綿吸音板とし、また天井板１０と段差なく連続するように設置してあるから、グリッド天井の視覚的な連続性を維持し、またこの連続部における輝度ギャップを低減して、良好な照明環境を提供することができる。
【００５３】
輝度ギャップの有無は、例えば、対象となる領域を複数の部分に区分けし、隣接する部分間の輝度対比の大小によって評価することができる。輝度対比は、まず、評価対象の輝度分布の解像度（一画素当たりの視角）を設定し、各視角内の平均輝度を夫々の部分での輝度値とした上で、隣接した部分の輝度値の比として算出する。
【００５４】
解像度を設定する理由は、解像度が大きくなるに従って輝度値の比が小さくなることが知られている（例えば、中村芳樹、乾正雄、沢田敏実：輝度分布の表現法に関する研究，日本建築学会計画系論文報告集，第４３１号，1992年１月，pp.17-24参照）からである。ここでは、隣接する部分（解像度：視角１°）間での輝度対比が、１：２以上である場合を輝度ギャップ有りとし、１：２未満である場合を輝度ギャップ無しとする。
【００５５】
図５は、実施の形態１に係る照明設備の輝度分布図であり、図６は、図５中に白線により示す視角４０°の範囲内での一次元の輝度分布を示す図である。図６においては、中央のランプ部を除けば、隣接する部分間での輝度対比が、１：２未満に維持されており、周辺の天井面を含めて、輝度ギャップが無い状態が実現されることがわかる。
【００５６】
図７〜図９は、実施の形態１に係る照明設備の効果説明図である。これらは、カバー部材及び傾斜板の輝度の測定結果を示している。図７は、カバー部材の下端が天井面と略同一となるように筐体の設置高さ（上下方向位置）を設定し、該筐体の両側に適度の傾斜を有する傾斜板を配した場合の結果である。本図において傾斜板の輝度は、カバー部材に近い側から遠い側に向けて連続的に変化しており、またカバー部材と傾斜板との間の輝度対比も小さいことがわかる。
【００５７】
図８は、カバー部材が天井面の下方に突出するように筐体の上下方向位置を設定し、該筐体の両側に傾斜角度を略０°とした非傾斜板を配した場合の結果である。本図において非傾斜板の輝度は、カバー部材に近い側から遠い側に向けて大きく変化している。
【００５８】
図９は、筐体の上下方向位置を図８と同じとし、該筐体の両側に適度な傾斜を有する傾斜板を配した場合の結果である。本図において傾斜板の輝度は、図７と同様に、カバー部材に近い側から遠い側に向けて連続的に変化しており、更に、カバー部材が下方に位置することから、カバー部材と傾斜板との間の輝度対比も一層小さくなっている。
【００５９】
なお図７に示すように、筐体の設置高さをカバー部材の下端が天井面と略同一となるように設定した場合、天井面より下に突出部がなく、意匠面において優れると共に、室内を仕切る間仕切り板を照明設備の直下に設置することができ、室内レイアウトの変更に柔軟に対応することが可能となる。
【００６０】
また図９に示すように、筐体の設置高さをカバー部材の下端が天井面から突出するように設定した場合、隣接する部分間での輝度対比をより小さくし、明るさ感の低下を一層効果的に抑制することができる。なお、カバー部材を突出させる設置は、高さ寸法が大きいカバー部材を使用することにより、筐体の設置高さを変更せずに実現することも可能である。
【００６１】
（実施の形態２）
図１０は、実施の形態２に係る照明設備の縦断面図である。実施の形態２の照明設備は、カバー部材５の構成を除いて実施の形態１と同様であり、実施の形態１と共通する構成部材には同一の参照符号を付し、構成及び動作の説明を省略する。
【００６２】
実施の形態２の照明設備において、照明装置のカバー部材５は、実施の解体１と同様、透光性及び光拡散性を有する樹脂材料製の箱体であり、一側の開口を反射板３の周縁に嵌め合わせ、該反射板３の全面を、光源４の取り付け部から下方に適長離隔して覆うように取り付けられている。実施の形態２のカバー部材５は、光源４の取り付け部に対向する底板に凸部５ｂを備えている。この凸部５ｂは、実施の形態１の凸部５ａとは異なり、底板の幅方向両側から中央に向けて傾斜する傾斜面により、中央部が上向き、即ち、光源４の取り付け部に近付く向きに凸となるように設けられている。
【００６３】
この構成においても、ＬＥＤ４１の発光は、カバー部材５の底板に到達した後、その一部が、凸部５ｂにより反射され、カバー部材５の周板を透過して側方に放出されて傾斜板６を照明する。これにより、傾斜板６は明るく光り、室内空間の明るさ感を良好に維持することができる。
【００６４】
（実施の形態３）
図１１は、実施の形態３に係る照明設備の縦断面図である。実施の形態３の照明設備は、筐体２、傾斜板６の配置、及び支え板２１の構成を除いて実施の形態１と同じであり、実施の形態１と共通する構成部材には同一の参照符号を付し、構成及び動作の説明を省略する。
【００６５】
実施の形態３において、照明装置の筐体２は、幅方向断面において相対向する２本のＴバー１、１の一方に沿わせて配置されている。筐体２の長手方向両側の側板に取り付けた支え板２１（片側のみ図示）は、他方のＴバー１に向けて延びる単一の羽部２２を備えており、傾斜板６は、相対向する２つの縁部を、他方のＴバー１と、該Ｔバー１に対向する筐体２の開口縁に設けた鍔部２３とにより支え、残りの２つの縁部を羽部２２、２２の上縁により支えて装着されている。
【００６６】
この構成においても、照明装置は、カバー部材５の下方及び側方に光を放出し、一側への放出光により傾斜板６が照明されるから、該傾斜板６が明るく光り、室内空間の明るさ感を良好に維持することができる。このように構成された照明設備は、例えば、室の壁際に、傾斜板６の装着側を壁側として配置される。この配置によれば、カバー部材５の側方への放出光により、傾斜板６と共に室の壁面が照明されるから、室内空間の明るさ感を一層良好に演出することができる。
【００６７】
なお以上の実施の形態において、フック部材２０の取り付け位置は、筐体２の高さ方向に変更可能としてもよい。この変更は、例えば、フック部材２０を嵌め込む貫通孔を夫々の側板の高さ方向に離隔した複数箇所に設けることにより簡易に実現することができる。フック部材２０の取り付け位置を変更した場合、これらのフック部材２０、２０によりＴバー１、１間に横架支持される筐体２の上下方向位置が変化する。
【００６８】
これにより、筐体２とＴバー１との間にて傾斜姿勢で支持される傾斜板６の傾斜角度を変更することができる。この変更により、カバー部材５の側板に対する傾斜板６の対向姿勢が変化し、カバー部材５の側方への放出光による照明状態を調整することができる。傾斜板６の傾斜角度は、他の手段により変更可能としてもよい。
【００６９】
また前述の如く着脱自在とした支え板２１の取り付け位置は、フック部材２０と同様、筐体２の高さ方向に変更可能とするのが望ましい。これにより、支え板２１の両側又は片側に延びる羽部２２の上下方向位置、及び上縁の傾斜角度を筐体２とＴバー１との相対位置の変化に合わせて変更することができ、図１に示す如く、筐体２及びＴバー１、１に対する羽部２２の位置関係を適正に保ち、傾斜板６を種々の傾斜角度で安定して支持することが可能となる。
【００７０】
なお以上の実施の形態においては、グリッド天井への適用例について説明したが、本発明に係る照明設備は、グリッド天井以外の天井に適用することも可能である。この場合においても傾斜板の傾斜角度を可変とするのが望ましく、また傾斜板６は、天井面を構成する天井板と同材質とするのが望ましい。ここで説明する天井板は、傾斜板６に隣接する天井板、特に傾斜板６の傾斜下端側で隣接する天井板、または実施の形態１においてＴバー１を介して隣接する天井板を含む。更にこの場合においても、筐体の開口縁から外向きに延びる羽部を、着脱及び上下方向の位置変更可能に設け、該羽部の上縁により傾斜板を安定して支持させる構成とすることができる。
【００７１】
今回開示された実施の形態は、すべての点で例示であって制限的なものではないと考えられるべきである。本発明の範囲は、上記した意味ではなく、特許請求の範囲によって示され、特許請求の範囲と均等な意味および範囲内でのすべての変更が含まれることが意図される。
【符号の説明】
【００７２】
１    Ｔバー（仕切り棒）
２    筐体
４    光源
５    カバー部材
５ａ  凸部
５ｂ  凸部
６    傾斜板
１０  天井板
２２  羽部
【図１】
0006514898.tif 000002
【図２】
0006514898.tif 000003
【図３】
0006514898.tif 000004
【図４】
0006514898.tif 000005
【図５】
0006514898.tif 000006
【図６】
0006514898.tif 000007
【図７】
0006514898.tif 000008
【図８】
0006514898.tif 000009
【図９】
0006514898.tif 000010
【図１０】
0006514898.tif 000011
【図１１】
0006514898.tif 000012